(57)【要約】【課題】貼付剤を簡単に、しかも綺麗に皮膚に貼付するために貼付剤貼付補助器具を提供すること。【解決手段】本発明による貼付剤貼付用補助器具１０は、使用されるべき貼付剤１８よりも大きな面を有する支持板１２と、支持板１２の一方の面の外縁部に設けられており、貼付剤１８の厚さよりも大きな厚さを有し、圧力を加えると容易に弾性変形するスペーサ１４とを備え、スペーサ１４により囲まれた支持板１２の部分を、貼付剤１８が実質的に非付着状態にて載置される載置面１６としたことを特徴としている。【選択図】図４
2011011047.tif 000002
【特許請求の範囲】
【請求項１】
使用されるべき貼付剤よりも大きな面を有する支持板と、
前記支持板の一方の面の外縁部に設けられており、貼付剤の厚さよりも大きな厚さを有し、圧力を加えると容易に弾性変形するスペーサと
を備え、
前記スペーサにより囲まれた前記支持板の部分を、貼付剤が実質的に非付着状態にて載置される載置面としたことを特徴とする貼付剤貼付用補助器具。
【請求項２】
前記支持板の他の面に設けられた、当該貼付剤貼付用補助器具以外の要素に付着させるための付着手段を備える、請求項１に記載の貼付剤貼付用補助器具。
【発明の詳細な説明】
【技術分野】
【０００１】
本発明は、貼付剤を所望の部位に貼付する際に使用する貼付剤貼付用補助器具に関する。
【背景技術】
【０００２】
従来から、肩こり、腰痛、筋肉痛、筋肉疲労、関節痛等の改善を目的とした多様な貼付剤が流通している。これらの貼付剤は、通常、支持体と、その支持体の一方の面に設けられた、薬効成分を含有する粘着剤層と、粘着層剤の表面に剥離可能に付着された剥離シートとから構成されている。そして、使用時には、剥離シートを粘着剤層から剥がして粘着剤層を露出させ、貼付部位に貼付するようになっている。
【０００３】
しかしながら、剥離シートを除去した後の貼付剤は、一般に柔軟であり取り扱いにくく、シワになりやすいという問題がある。
【０００４】
そこで、従来においては、例えば下記特許文献１に記載されているような貼付剤貼付用補助器具が提案されている。特許文献１に記載の器具は、使用されるべき貼付剤よりも大きな面を有する支持板と、この支持板の一方の面の外縁部に設けられており、使用されるべき貼付剤の厚さよりも大きな厚さを有する環状のスペーサと、支持板の一方の面に固定され、使用されるべき貼付剤を一時的に剥離可能に保持する粘着層等の仮止め手段とから構成されている。かかる貼付剤貼付用補助器具を使用する場合、まず仮止め手段上に貼付剤の支持体を置いて貼付剤を仮止めし、次いでスペーサを皮膚の上で滑らせて所望の貼付部位上に器具を配置する。そして、支持板を押すことで、貼付剤を所望の部位に貼付するのである。
【０００５】
この貼付剤貼付用補助器具によれば、支持板に固定された仮止め手段上に貼付剤をシワなく綺麗に広げた状態で保持させることができ、また、貼付作業中に貼付剤が折れ曲がることにより貼付剤の粘着面同士が部分的に接着してしまうという不具合も防止できる。更に、貼付剤の使用者は、貼付部位においてスペーサを貼付部位付近の皮膚に接触させることにより得られる感触によって使用する貼付剤の貼付位置を正確に決めることができ、貼付剤を貼付部位にシワの無い綺麗な状態で貼り付けることができる。
【先行技術文献】
【特許文献】
【０００６】
【特許文献１】特開２００１−６１８９４号公報
【発明の概要】
【発明が解決しようとする課題】
【０００７】
しかしながら、特許文献１に開示されているような従来の貼付剤貼付用補助器具は、粘着層等の仮止め手段を有しているため、貼付剤を貼付部位に貼った後、補助器具を貼付部位から引き離した際、貼付剤が補助器具から分離せずに、貼付部位から剥離してしまうことがある。
【０００８】
本発明は、かかる不具合を解消することを目的としている。
【課題を解決するための手段】
【０００９】
上記目的を達成するために、本願発明者らは種々検討した結果、仮止め手段がなくとも、スペーサが貼付剤の周囲にある限り、貼付剤はスペーサの内側にて保持され、補助器具から脱落しにくいことを見出した。例えば、図４の（Ａ）に示すように貼付剤が下向きとなった場合でも、補助器具を中抜き矢印の方向に移動させている限り、風圧により貼付剤はスペーサの内側に保持され、落下しないことを見出した。
【００１０】
そこで、本発明による貼付剤貼付用補助器具は、使用されるべき貼付剤よりも大きな面を有する支持板と、支持板の一方の面の外縁部に設けられており、使用されるべき貼付剤の厚さよりも大きな厚さを有し、圧力を加えると容易に弾性変形するスペーサとを備え、スペーサにより囲まれた支持板の部分を、貼付剤が実質的に非付着状態にて載置される載置面としたことを特徴としている。すなわち、通常の知識を有するものであれば、仮止め手段は必須であると考えるところを、仮止め手段は必須ではないことを見出し、これを不要としたことを特徴とするものである。
【００１１】
また、本発明による貼付剤貼付用補助器具は、支持板の他の面（他方の面、又は、前記一方の面と他方の面との間の側面）に設けられた、当該貼付剤貼付用補助器具以外の要素に付着させるための付着手段を備えることも特徴としている。これによって、壁等に貼付剤貼付用補助器具を付着させることができ、背中にも一人で貼付剤を貼付することが可能となる。
【発明の効果】
【００１２】
上記構成による貼付剤貼付用補助器具においては、仮止め手段が不要となったため、貼付剤が皮膚に貼られずに貼付剤貼付用補助器具に残るという不具合が解消される。
【００１３】
また、仮止め手段がないことにより、繰り返し使用による耐久性が向上し、製造も容易となり、製造コストが低減されるという効果もある。
【図面の簡単な説明】
【００１４】
【図１】本発明による貼付剤貼付用補助器具の斜視図である。
【図２】本発明による貼付剤貼付用補助器具の背面側の斜視図である
【図３】（Ａ）は本発明による貼付剤貼付用補助器具の縦断面図であり、（Ｂ）は使用状態を示す縦断面図である。
【図４】（Ａ）は貼付剤貼付用補助器具を下向きにした状態を示す斜視図であり、（Ｂ）は貼付剤貼付用補助器具を用いて上向きの皮膚に貼付剤を貼付した状態を示す斜視図である。
【図５】壁に貼付剤貼付用補助器具を付着させた状態を示す概略説明図である。
【図６】本発明による貼付剤貼付用補助器具の他の実施形態を示す斜視図である。
【図７】（Ａ）及び（Ｂ）はそれぞれ、本発明による貼付剤貼付用補助器具の更に他の実施形態を示す斜視図である。
【発明を実施するための形態】
【００１５】
以下、図面を参照して本発明の好適な実施形態について更に詳しく説明する。なお、図中、同一又は相当部分には同一符号を付することとする。
【００１６】
図１は本発明の貼付剤貼付用補助器具の好適な実施形態の基本構成を示す斜視図であり、図２は貼付剤貼付用補助器具の背面側を示す斜視図、図３の（Ａ）、（Ｂ）は縦断面図である。
【００１７】
図１〜図３に示す通り、本実施形態の貼付剤貼付用補助器具１０は、矩形の支持板１２と、この支持板１２の一方の面の外縁部に設けられた矩形環状のスペーサ１４とを備えている。
【００１８】
スペーサ１４に囲まれる支持板１２の面１６は、貼付剤１８が載置される貼付剤載置面となるもので、以下、この面１６を「貼付剤載置面１６」と称することとする。貼付剤載置面１６は、貼付剤１８が載置されるよう、貼付剤１８と相似形であり、貼付剤よりも僅かに大きくされている。通常使用される貼付剤１８の形状は矩形であるので、貼付剤載置面１６の形状も矩形状となるのが一般的である。
【００１９】
また、支持板１２の大きさは、貼付剤載置面１６よりも少なくともスペーサ１４の分だけ大きいことから、当然ながら使用される貼付剤１８の大きさよりも大きい。
【００２０】
更に、支持板１２の構成材料も特に限定されないが、貼付剤載置面１６上に載置された貼付剤１８に皮膚が押し付けられることから、ある程度の柔らかさは必要とする場合もあり、また、取り扱いを用意にするためには、ある程度の硬度を必要とする場合もある。そこで、支持板１２の材料は硬質ウレタン、ポリ塩化ビニル（ポリビニルクロライド）等が好ましい。その他の材料としては、例えば、ゴム（エラストマー）、ゴム製スポンジ、合成樹脂（エラストマーを除く）、合成樹脂製スポンジ、紙、プラスチック、金属等を使用することもでき、それらを層にして組み合わせることもできる。
【００２１】
支持板１２は、貼付剤載置面１６が矩形であるので、これと相似形の矩形平板であることが好ましいが、これに限定されない。例えば、支持板１２の形状は、矩形（正方形を含む）の他、円形、長円形、楕円形、台形、菱形、平行四辺形、多角形、その他様々な形状とすることができる。また、支持板１２は、貼付剤載置面１６を有する面と、その反対側の背面、そして、所望の硬度を確保するための厚さ、すなわちある程度の幅の側面を有するものであるが、少なくとも貼付剤載置面１６を有する面の形状については、適用する部位の形状に合わせて形状を定めてもよい。例えば、腰用や肩用として、その部位に合わせた湾曲形状とするとよい。一方、後述するように、背面は壁等に付着させるため、平面であることが好ましい。
【００２２】
なお、貼付剤載置面１６を有する面は平滑面であってもよいが、例えば布目、ストライプ、チェック、スポット（水玉文様）で凹凸を付けてもよい。凹凸の付け方としては、通常の成形によるものの他、印刷により微細凹凸を付けることも可能である。
【００２３】
スペーサ１４は、一般的な貼付剤１８の形状から、図示するように矩形の連続環状体であることが好ましい。このスペーサ１４は、支持板１２の外縁部に接着されている。
【００２４】
図示実施形態においては、スペーサ１４は、支持板１２に接着される易弾性変形部２０と、その上に接着される表皮部２２とから構成されている。
【００２５】
易弾性変形部２０の材料は、支持板１２よりも柔軟性が高く、支持板１２に対してスペーサ１４が押圧された場合に、容易に圧縮されるものであれば特に限定されず、例えば、合成樹脂製スポンジが好ましい。この他、ゴム（エラストマー）、ゴム製スポンジ、合成樹脂（エラストマーを除く）等を使用することもできる。また、支持板１２は、合成樹脂又はゴムを素材とする発泡体としてもよく、かかる発泡体の素材としては、特に制限はなく、例えば、天然ゴム、合成ゴム、ポリウレタン、ポリオレフィン、ポリエステル、ポリスチレン、ポリ塩化ビニル、フェノール樹脂、ユリア樹脂、エポキシ樹脂等が用いられ、これらは単独で用いられても２種以上が併用されてもよい。これらの素材の中で、天然ゴム、合成ゴム、ポリウレタン、ポリオレフィン、ポリエステル、ポリスチレン、ポリ塩化ビニルが好ましく、より好ましくは、天然又は合成ゴム、ポリウレタン、ポリエチレン、ポリプロピレン、ポリ塩化ビニルである。樹脂発泡体としては、例えば、ウレタン、発泡スチロール、架橋タイプのポリエチレン発泡体（ソフトロン、積水化学工業社製）等の市販のもの等を用いることができる。また、先の合成樹脂又はゴムを素材とする発泡体とゴム、合成樹脂、紙、プラスチック、金属等とを積層させてもよい。
【００２６】
一方、表皮部２２は、スペーサ１４を人体の皮膚３０に接触させた場合に、その皮膚３０の上で貼付剤貼付用補助器具１０を容易に滑らせることができ、また皮膚３０に押し付けた際に皮膚３０に異物感を与えないような材料から作られており、例えば合成革等が好ましい。また、表皮部２２としては、織布、不織布等の布、フィルム等であってもよい。布は、具体的には、ポリウレタン、ポリエステル、ポリプロピレン、ポリ酢酸ビニル、ポリ塩化ビニリデン、ポリエチレン、ポリエチレンテレフタレート、ナイロン、アクリル、綿、レーヨン、アセテート等の合成繊維又は天然繊維、あるいはこれらの繊維を複合して織布又は不織布としたもの、さらにはこれらと水蒸気透過性を有するフィルムとの複合素材からなるもの等が挙げられる。フィルムの材料としては、合成樹脂（エラストマーを除く）やゴム（エラストマー）等が考えられ、具体的には、軟質ポリ塩化ビニル（軟質ＰＶＣ）、ポリウレタン、低密度ポリエチレン、スチレン系エラストマー、ポリオレフィン系エラストマー、軟質ポリウレタン−ポリ塩化ビニルグラフト重合体（ＰＵ−ＰＶＣ）等を挙げることができる。なかでも、スチレン系エラストマー、ポリオレフィン系エラストマーが、伸縮性がよいので好ましい。ポリオレフィン系エラストマー及びスチレン系エラストマーのうち少なくとも１種からなる軟質フィルムは、伸縮性が良い特徴を有することとなる。表面は、平滑でも、又は、布目、ストライプ、チェック、スポット（水玉文様）で凹凸を付けてもよい。凹凸の付け方としては、ブラスト処理、通常の成形によるものの他、印刷による方法もある。
【００２７】
ここで、粘着テープ２４の厚さは０．０１〜１ｍｍの範囲内とすることが好ましい。この範囲であれば、支持板１２の柔らかさを損なわないため、凸凹な面にも付着させることができる。
【００２８】
スペーサ１４の厚さは適宜定められるが、貼付剤貼付用補助器具１０を皮膚３０に押し付けた場合には、図３の（Ｂ）に示すように、貼付剤１８の厚さと同等又は僅かに大きい程度に変形するが、力を加えていない無負荷状態では、図３の（Ａ）に示すように、貼付剤１８よりも十分に厚い状態に復元する程度のものである。少なくとも、無負荷状態では、図３の（Ａ）のように貼付剤貼付用補助器具１０を略垂直にしても、貼付剤載置面１６上の貼付剤１８が脱落しない程度の厚さを有することが有効である。
【００２９】
支持板１２の背面には、この貼付剤貼付用補助器具１０を壁等に付着させるための付着手段が設けられている。付着手段は、付着と取り外しを繰り返して行うことができることが好適であり、例えば、図２に示すように、再剥離性の粘着テープ２４を支持板１２の背面の両短辺に沿って配置するとよい。また、貼付剤貼付用補助器具１０を壁等に長期にわたり付着させたままの状態とすることが必要な場合には、通常の両面テープを支持板１２の背面に接着してもよい。更に、冷蔵庫等の鉄製の面に貼付剤貼付用補助器具１０を貼り付ける場合には、マグネットを支持板１２の背面に配してもよい。
【００３０】
次に、上述したような構成の貼付剤貼付用補助器具１０の使用方法を説明する。
【００３１】
まず、図１の二点鎖線で示すように、剥離シートを除去した貼付剤１８を、貼付剤貼付用補助器具１０の貼付剤載置面１６中央部にシワのないように綺麗に広げてセットし、実質的に非付着状態で載置する。このようにすることにより、貼付作業中に貼付剤１８が折れ曲がることによりその粘着面同士が部分的に接着してしまうという不具合を防止することができる。
【００３２】
次に、貼付剤１８が上向きで露出するようにして貼付剤貼付用補助器具１０を持つ。この略水平の状態から図３の（Ｂ）に示す略垂直の状態までは、貼付剤１８は落下することもなく、貼付剤載置面１６上で保持されることが実験により確認されている。これは、貼付剤１８自体の形状維持による効果や、貼付剤の粘着剤層の縁部がスペーサ１４に一部接することにより付着効果が現れるからであると考えられる。
【００３３】
そして、貼付剤貼付用補助器具１０のスペーサ１４を人体の皮膚３０に押し当てる。この際、所望の部位でなければ、貼付剤貼付用補助器具１０を皮膚３０上を滑らせて、位置調整を行う。この後、貼付剤貼付用補助器具１０を押し付けると、支持板１２はスペーサ１４の易弾性変形部２０よりも硬いため、スペーサ１４が圧縮し、図３の（Ｂ）に示されるように、皮膚３０が貼付剤載置面１６上の貼付剤１８と接触する。
【００３４】
この後、貼付剤貼付用補助器具１０を皮膚から引き離すと、貼付剤１８は貼付剤載置面１６に単に載置されているだけであるので、貼付剤１８は皮膚に貼付されることとなる。この間、貼付剤１８はシワのない状態を維持しているので、貼付された状態もシワなく綺麗なものとなる。
【００３５】
次に、肩等の上向きの皮膚３０に貼付剤１８を貼る場合には、貼付剤貼付用補助器具１０の貼付剤載置面１６は必然的に下向きとなる。この場合、貼付剤１８は貼付剤載置面１６から落下する可能性があるが、図４の（Ａ）において中抜き矢印で示すように、貼付剤貼付用補助器具１０を移動させている間は、貼付剤１８が軽量であり、かつ平面であることから、風圧により貼付剤１８は貼付剤載置面１６上で保持される。したがって、図４の（Ｂ）に示すように、肩等の上向きの皮膚３０にも貼付剤１８を好適に貼付することができる。
【００３６】
また、貼付剤貼付用補助器具１０の背面の付着手段である粘着テープ２４を利用して、貼付剤貼付用補助器具１０を壁や柱等の垂直面４０に付着させることができる。この付着状態を示しているのが図５であり、この図から容易に理解できるように、他人の助けを借りることなく、人体の背中にも貼付剤１８を貼ることが可能となる。勿論、先に説明したように、貼付剤貼付用補助器具１０は図５に示すような略垂直となっても、貼付剤１８が脱落することはない。
【００３７】
なお、粘着テープ２４等の付着手段は、壁や柱のような垂直面に貼付剤貼付用補助器具１０を付着させるばかりでなく、貼付剤貼付用補助器具１０に棒やハンドル、ベルト等の他の要素を付着させて、その棒やハンドル、ベルト等を持って貼付剤貼付用補助器具１０を操作することも可能とする。
【００３８】
貼付剤貼付用補助器具１０は上述したように使用されるのであるが、この使用法に関連して、貼付剤貼付用補助器具１０の各構成要素の寸法や弾力性、柔軟性等について更に詳細に検討する。
【００３９】
まず、無負荷状態では、貼付剤１８をスペーサ１４の内側にて好適に収容することを主目的として、スペーサ１４の厚さＴ１は所定の範囲内とするのが好ましい。すなわち、Ｔ１が小さすぎると、貼付剤１８を適用する際に貼付剤１８がスペーサ１４から外にはみ出すおそれがあるため、Ｔ１の下限を定めておくのがよい。一方、Ｔ１が大きすぎる場合には、身体に対して貼付剤貼付用補助器具１０を押し付けて貼付剤１８を貼付する際、スペーサ１４の変形が大きくなり、貼付剤１８の粘着剤層がスペーサ１４の貼付剤載置面１６側の側面と干渉し易くなるおそれがある。このため、Ｔ１の上限についても定めておくことが好ましい。具体的には、Ｔ１は、例えば１〜１０ｍｍの範囲内とすることが好ましい。また、上記と同様の理由から、Ｔ１を、貼付剤１８の厚さＴ２の関係から定めるならば、Ｔ１はＴ２の１．５〜２０倍の範囲内とすることが好ましい。
【００４０】
スペーサ１４の弾性抵抗（コシの強さ）ないしは柔軟性については、適用身体部位に近い弾性抵抗ないしは柔軟性を有することが、誤りなく貼付剤１８を貼る上で重要である。このため、易弾性変形部２０を発泡体から形成する場合には、発泡率を適宜定める必要がある。すなわち、発泡率が小さすぎる場合には、スペーサ１４の弾性抵抗が強すぎ、柔軟性が乏しくなるため、凹凸のある身体面に適用し難いものとなる。一方、発泡率が大きすぎる場合には、スペーサ１４として必要な物理強度が不足するという問題がある。そこで、発泡率は、例えば３〜５０倍の範囲内とすることが好ましい。
【００４１】
スペーサ１４を構成する表皮部２２についても同様なことがいえ、表皮部２２の厚さＴ３が小さすぎる場合には、表皮部２２の物理強度が不足するおそれがあり、Ｔ３が大きすぎると、凹凸のある身体面に適用しにくくなる。よって、Ｔ３は、例えば０．２〜２．５ｍｍの範囲内とすることが好ましい。
【００４２】
また、貼付剤１８の寸法が、縦（長手方向）Ｌ１ｃｍ、横（短手方向）Ｌ２ｃｍであるとき、貼付剤載置面１６の寸法については、縦は（Ｌ１＋０．４）ｃｍないし（Ｌ１＋１．５）ｃｍの範囲、横は（Ｌ２＋０．３）ｃｍないし（Ｌ２＋１．０）ｃｍの範囲が好ましい。この寸法範囲内であれば、貼付剤１８を貼付剤載置面１６に載せる際、貼付剤１８の粘着剤層がスペーサ１４に接するのを防止することができ、また、貼付剤載置面１６上での貼付剤１８の遊びが小さいので、所望の部位に貼付剤１８を貼付できないということを防止することができるので、貼付剤１８にシワが生じるのを確実に防ぐことができる。したがって、縦６．５ｃｍ、横４．２ｃｍの貼付剤１８の場合、貼付剤載置面１６の寸法は、好ましくは縦６．９〜８ｃｍ、横４．５〜５．２ｃｍである。縦１０ｃｍ、横７ｃｍの貼付剤１８の場合、貼付剤載置面１６の寸法は、好ましくは縦１０．４〜１１．５ｃｍ、横７．３〜８．０ｃｍである。また、縦１４ｃｍ、横１０ｃｍの貼付剤１８の場合、貼付剤載置面１６の寸法は、好ましくは縦１４．４〜１５．５ｃｍ、横１０．３〜１１ｃｍである。更に、縦２０ｃｍ、横１４ｃｍの貼付剤１８の場合、貼付剤載置面１６の寸法は、好ましくは縦２０．４〜２１．５ｃｍ、横１４．３〜１５ｃｍである。
【００４３】
更に、支持板１２が硬質ウレタンからなる場合、その厚さＴ４は、例えば３〜４０ｍｍの範囲内とすることが好ましい。この範囲であれば、支持板１２は適当な硬さを有するため、取扱いが容易であり、また、支持板１２上で支持された貼付剤１８が、支持板１２と共に過度に変形してシワが生ずるようなこともない。また、支持板１２がポリ塩化ビニルからなる場合、その厚さＴ４は、例えば０．０５〜５ｍｍの範囲内とすることが好ましい。この範囲であれば、支持板１２は適当な硬さを有するため、取扱いが容易であり、また、支持板１２上で支持された貼付剤１８が、支持板１２と共に過度に変形してシワが生ずるようなこともなく、更に、支持板１２は適当な柔らかさも兼ね備えるため、湾曲部への貼付も容易となる。
【００４４】
以上、本発明の好適な実施形態について詳細に説明したが、本発明は上記実施形態に限定されないことは言うまでもない。例えば、上記実施形態では、スペーサ１４は、易弾性変形部２０と、表皮部２２とからなるものとしたが、表皮部２２を省略することもできる。
【００４５】
また、上記実施形態では、スペーサ１４を連続環状体としているが、図６に示すように、不連続な形態としてもよい。
【００４６】
更に、上記実施形態では、付着手段を支持板１２の背面に設けることとしているが、支持板１２の側面に設けてもよい。
【００４７】
更にまた、スペーサ１４の内縁（貼付剤載置面１６）の縦寸法又は横寸法を、貼付剤１８の縦寸法又は横寸法と同一又は僅かに小さく（約０．１mm）した場合、スペーサの易弾性変形部２０が貼付剤１８の縁部と接し、これを保持することが可能となる。この場合、従来における粘着層のような仮止め手段がなくとも、調剤貼付用補助器具１０を下向きにしても貼付剤１８を補助器具１０内に保持することができるという効果を奏する。
【００４８】
なお、貼付剤１８は、縦寸法Ｌ１が３〜２５ｃｍ、横寸法Ｌ２が２〜２０ｃｍの範囲のものが一般的であるが、最大寸法の場合、貼付剤貼付用補助器具１０を手で持つことができないことが考えられる。そこで、図７の（Ａ）に示すように、支持板１２の中間部を細くしたり、図７の（Ｂ）に示すように、支持板１２の短辺部分又は長辺部分の少なくとも一つを延長してハンドル部２６を形成したりし、手で持ちやすいようにしてもよい。勿論、ハンドル部２６は、小型貼付剤用の補助器具１０に適用してもよい。
【符号の説明】
【００４９】
１０…貼付剤貼付用補助器具、１２…支持板、１４…スペーサ、１６…貼付剤載置面、１８…貼付剤、２０…易弾性変形部、２２…表皮部、２４…粘着テープ（付着手段）、２６…ハンドル部、３０…皮膚、４０…垂直面。
【図１】
2011011047.tif 000003
【図２】
2011011047.tif 000004
【図３】
2011011047.tif 000005
【図４】
2011011047.tif 000006
【図５】
2011011047.tif 000007
【図６】
2011011047.tif 000008
【図７】
2011011047.tif 000009